(57)【要約】【課題】内容物の残留量を低減することができるとともに、使用過程での内容物の脱落を抑制することが可能な繰出し容器を提供する。【解決手段】筒状の本体部１０と、操作部２０と、操作部２０の回動操作によって軸方向に移動する軸部３０と、内容物Ａの底面を支持する底壁部４０と、所定の範囲内で軸方向に移動可能な可動筒部５０と、を備え、底壁部４０は、可動筒部５０の移動範囲を超えて内容物Ａの全体が露出するまで繰り出し可能に構成されており、可動筒部５０は、所定の範囲内では軸部３０に係合保持されて軸部３０と共に移動し、底壁部４０が可動筒部５０の移動範囲を超えて繰り出された際に、軸部３０に対する係合が解除されるように構成されており、底壁部４０には、内容物Ａの側面に食い込むことで内容物Ａの脱落を防止する脱落防止部４２、４４が設けられていることを特徴とする繰出し容器１、２。【選択図】図１
2020055552.tif 000002
【特許請求の範囲】
【請求項１】
一方側の端部に内容物を繰り出す開口部が設けられた筒状の本体部と、
前記本体部の他方側の端部に係合保持され、該本体部に対して回動可能な操作部と、
前記操作部に設けられた被螺合部に螺合し、該操作部の回動操作によって前記本体部の内側で軸方向に移動する軸部と、
前記軸部の先端部に設けられ、内容物の底面を支持する底壁部と、
前記本体部の内側で前記軸部及び前記底壁部を取り囲むように配置され、所定の範囲内で前記軸方向に移動可能な可動筒部と、を備え、
前記底壁部は、前記可動筒部の移動範囲を超えて前記内容物の全体が露出するまで繰り出し可能に構成されており、
前記可動筒部は、前記所定の範囲内では前記軸部に係合保持されて該軸部と共に移動し、前記底壁部が前記可動筒部の移動範囲を超えて繰り出された際に、前記軸部に対する係合が解除されるように構成されており、
前記底壁部には、内容物の側面に食い込むことで該内容物の脱落を防止する脱落防止部が設けられていることを特徴とする繰出し容器。
【請求項２】
前記脱落防止部は、前記内容物の全体が露出するまで繰り出された際に、前記内容物を取り外すことができるように構成されている、請求項１に記載の繰出し容器。
【請求項３】
前記脱落防止部は、前記底壁部の外周縁にヒンジ部を介して揺動可能に連結されている、請求項１又は２に記載の繰出し容器。
【請求項４】
前記脱落防止部は、前記底壁部の周方向に間隔をあけて複数箇所に設けられている、請求項３に記載の繰出し容器。
【請求項５】
前記脱落防止部は、前記軸方向に対して垂直な所定の方向に前記内容物をスライドさせることで該内容物を取り外すことが可能なレール部で構成されている、請求項１又は２に記載の繰出し容器。
【請求項６】
前記軸部は、外周面に雄ねじ部を有する軸本体と、該軸本体と前記底壁部との連結部に設けられ、前記軸本体よりも直径が大きい大径部とを有し、
前記可動筒部は、前記大径部の外周面に設けた係合凹部に係合可能な環状の隔壁部を有する、請求項１〜５の何れか一項に記載の繰出し容器。
【請求項７】
前記可動筒部は、前記本体部に対する回転を抑制されており、前記軸部は、前記可動筒部に対する回転を抑制されている、請求項１〜６の何れか一項に記載の繰出し容器。
【発明の詳細な説明】
【技術分野】
【０００１】
本発明は、筒状の本体部の内側に収容された内容物を、本体部先端に設けた開口部から露出させて使用する繰出し容器に関するものである。
【背景技術】
【０００２】
繰出し容器としては、例えば、筒状の本体部に収納された中皿を、本体部の下側に配置した操作部の回転方向に応じて昇降させることで、本体部に収納された固形の内容物を繰り出し又は引き戻すものがある（例えば、特許文献１参照）。このような繰出し容器によれば、操作部の回動操作により中皿を軸方向に進退移動させ、内容物を本体部の先端開口から繰り出して使用する。
【先行技術文献】
【特許文献】
【０００３】
【特許文献１】実公平０２−３３６９７号公報
【発明の概要】
【発明が解決しようとする課題】
【０００４】
しかしながら、上記の繰出し容器においては、本体部の内側で内容物を支持する中皿が、筒状の側壁と側壁の下端部に連なる底壁とで構成される有底筒状であり、その内側に内容物の下部が埋め込まれているため、当該中皿を最大まで繰り出したとしても内容物を最後まで使い切ることは困難であり、内容物が中皿に残留し易いという問題がある。
【０００５】
また、内容物の残留量を低減するために、例えば、中皿を平坦な底壁のみで構成した場合、使用過程で中皿を繰り出した際に内容物が底壁から外れて、容器から脱落してしまう虞がある。
【０００６】
それゆえ本発明は、内容物の残留量を低減することができるとともに、使用過程での内容物の脱落を抑制することが可能な繰出し容器を提供することを目的とする。
【課題を解決するための手段】
【０００７】
本発明は、上記課題を解決するためになされたものであり、本発明の繰出し容器は、一方側の端部に内容物を繰り出す開口部が設けられた筒状の本体部と、
前記本体部の他方側の端部に係合保持され、該本体部に対して回動可能な操作部と、
前記操作部に設けられた被螺合部に螺合し、該操作部の回動操作によって前記本体部の内側で軸方向に移動する軸部と、
前記軸部の先端部に設けられ、内容物の底面を支持する底壁部と、
前記本体部の内側で前記軸部及び前記底壁部を取り囲むように配置され、所定の範囲内で前記軸方向に移動可能な可動筒部と、を備え、
前記底壁部は、前記可動筒部の移動範囲を超えて前記内容物の全体が露出するまで繰り出し可能に構成されており、
前記可動筒部は、前記所定の範囲内では前記軸部に係合保持されて該軸部と共に移動し、前記底壁部が前記可動筒部の移動範囲を超えて繰り出された際に、前記軸部に対する係合が解除されるように構成されており、
前記底壁部には、内容物の側面に食い込むことで該内容物の脱落を防止する脱落防止部が設けられていることを特徴とするものである。
【０００８】
また、本発明の繰出し容器は、前記脱落防止部は、前記内容物の全体が露出するまで繰り出された際に、前記内容物を取り外すことができるように構成されていることが好ましい。
【０００９】
また、本発明の繰出し容器にあっては、前記脱落防止部は、前記底壁部の外周縁にヒンジ部を介して揺動可能に連結されていることが好ましい。
【００１０】
また、本発明の繰出し容器にあっては、前記脱落防止部は、前記底壁部の周方向に間隔をあけて複数箇所に設けられていることが好ましい。
【００１１】
また、本発明の繰出し容器にあっては、前記脱落防止部は、前記軸方向に対して垂直な所定の方向に前記内容物をスライドさせることで該内容物を取り外すことが可能なレール部で構成されていることが好ましい。
【００１２】
また、本発明の繰出し容器にあっては、前記軸部は、外周面に雄ねじ部を有する軸本体と、該軸本体と前記底壁部との連結部に設けられ、前記軸本体よりも直径が大きい大径部とを有し、
前記可動筒部は、前記大径部の外周面に設けた係合凹部に係合可能な環状の隔壁部を有することが好ましい。
【００１３】
また、本発明の繰出し容器にあっては、前記可動筒部は、前記本体部に対する回転を抑制されており、前記軸部は、前記可動筒部に対する回転を抑制されていることが好ましい。
【発明の効果】
【００１４】
本発明によれば、内容物の残留量を低減することができるとともに、使用過程での内容物の脱落を抑制することが可能な繰出し容器を提供することが可能となる。
【図面の簡単な説明】
【００１５】
【図１】本発明の一実施形態に係る繰出し容器の正面視での断面図である。
【図２】図１に示す繰出し容器の使用により内容物が減少した状態を示す断面図である。
【図３】図２に示す繰出し容器の部分拡大図である。
【図４】図３に示す繰出し容器の軸方向から見た平面図である。
【図５】図１に示す繰出し容器において、可動筒部の移動範囲を超えて軸部を繰り出した様子を示す断面図である。
【図６】図５に示す状態からさらに軸部を繰り出し、内容物の全体が露出した状態を示す断面図である。
【図７】図６に示す状態から係合爪部を開き、内容物を取り外し可能な状態を示す断面図である。
【図８】比較のために、底壁部に係合爪部を設けていない繰出し容器を示す断面図である。
【図９】図１に示す繰出し容器の組立ての様子を示す部分断面図である。
【図１０】本発明の他の実施形態に係る繰出し容器の正面視での断面図である。
【図１１】図１０に示す繰出し容器の使用により内容物が減少した状態を示す断面図である。
【図１２】図１０に示す繰出し容器の軸方向から見た平面図である。
【図１３】図１０に示す繰出し容器における、内容物を取り外す様子を示す側面視での断面図である。
【発明を実施するための形態】
【００１６】
以下、図面を参照して、本発明をより具体的に例示説明する。図１は、本発明の一実施形態に係る繰出し容器１を示している。なお、図１は、繰出し容器１の中心軸である軸線Ｃを通る断面を示す正面視での縦断面図である。また、図１は、内容物Ａを使用する前の初期状態を示し、図２は、図１に示す初期状態から内容物Ａを繰出しながら使用したことにより内容物Ａの残量が減少した状態を示す。図３は、図２の繰出し容器１の部分拡大図である。
【００１７】
繰出し容器１は、筒状の本体部１０と、本体部１０に対して回動可能に係合保持された操作部２０と、を備え、本体部１０に対する操作部２０の回動操作により内容物Ａを繰り出して使用するものである。内容物Ａとしては、特に限定されるものではないが、例えば化粧料（口紅、リップクリームもしくはスティックアイシャドーなど）、整髪料、薬剤または糊などが棒状に形成された固形のものとすることができる。内容物Ａを繰出し容器１に配置する方法としては、例えば、本体部１０、可動筒部５０及び底壁部４０により区画形成される内容物収容空間に流動可能な状態の（液状の）内容物を充填して固形化させる方法があるが、これに限られず、例えば予め固形化した内容物Ａを底壁部４０の上面４１に配置してもよい。
【００１８】
また、本例の繰出し容器１は、本体部１０の内側に配置された軸部３０、底壁部４０、及び可動筒部５０と、本体部１０の外側に配置された蓋体６０とを備える。
【００１９】
本例の本体部１０は、全体が略円筒状に形成されている。なお、操作部２０に対する係合部分を除いて、本体部１０は円筒状に限定されず、軸線Ｃに垂直な横断面が楕円形または多角形となるような筒形状でもよい。本体部１０の一方側の端部には、内容物Ａを繰り出すための開口部１１が形成されており、他方側の端部には、操作部２０が回動可能に係合保持されている。本例では、本体部１０の他方側の端部に、本体部１０の他の部分に比べて外周面の直径が小さい小径部１２が設けられており、小径部１２の外周面には、操作部２０を係合保持するための被係合凸部１３が設けられている。また、本体部１０の内周面には、径方向内側に突出する段差部１４が設けられている。
【００２０】
また、本体部１０の内周面には、可動筒部５０の回転を抑制するための縦リブ１５が設けられている。本例では、本体部１０の周方向の２箇所に縦リブ１５が設けられており、当該２つの縦リブ１５は、軸線Ｃを挟んで対向配置されている。
【００２１】
操作部２０は、本体部１０に連なるように配置される略円筒状の周壁２１と、周壁２１の端部を閉塞する閉塞壁２２と、周壁２１の内側に設けられた内筒部２３と、を有する。周壁２１の上端部に設けられた嵌合部２７を除いて、周壁２１の外周面は、蓋体６０の外周壁６１の外周面と滑らかに連なるように、外周壁６１の外周面の直径と略同一となるように形成されている。また、周壁２１の上端部に設けられた嵌合部２７の外周面は、本体部１０と滑らかに連なるように、本体部１０の外周面の直径と略同一となるように形成されている。
【００２２】
内筒部２３の内周面には、軸部３０に設けられた雄ねじ部３２に螺合する被螺合部としての雌ねじ部２４が設けられている。本例において雌ねじ部２４は、内筒部２３の先端部のみに設けられている。なお、雌ねじ部２４は、内筒部２３の内周面全体にわたって設けてもよいし、先端部以外の一部のみに設けてもよい。
【００２３】
内筒部２３の下端部には、径方向外側に延在するフランジ部２５が設けられており、当該フランジ部２５の外周縁は周壁２１の内周面に嵌合固定されている。本体部１０に対して操作部２０の周壁２１を軸線周りに回すと、内筒部２３は周壁２１と共に回動する。なお、内筒部２３は、操作部２０と一体に形成されていてもよい。周壁２１の上部内周面には、本体部１０の被係合凸部１３に係合する係合凹部２６が設けられている。
【００２４】
軸部３０は、円柱状の軸本体３１を有し、軸本体３１の外周面には雄ねじ部３２が設けられている。軸本体３１の一方側の端部には、底壁部４０が一体に設けられている。軸本体３１と底壁部４０との連結部には、軸本体３１よりも直径が大きい大径部３３が設けられており、大径部３３の外周面には、環状の係合凹部３４が設けられている。
【００２５】
軸本体３１の雄ねじ部３２の下部には、雌ねじ部２４に係合しない（空転する）ように構成された環状のストレート凹部３５が設けられており、さらにストレート凹部３５の下部には抜け止め凸部３６が設けられている。ストレート凹部３５は、軸部３０の繰出し方向の上限を規定するものであり、雌ねじ部２４がストレート凹部３５の位置に達するまで軸部３０を繰り出すと、それ以上操作部２０を回動させても軸部３０は繰出し方向に移動しない。さらに抜け止め凸部３６を設けることにより、軸部３０が内筒部２３から抜け出してしまうことを確実に防止している。
【００２６】
底壁部４０は、円板状であり、その上面４１は、軸線Ｃに垂直に延在する平坦面で構成されている。上面４１は、内容物Ａの底面を支持する支持面を構成している。底壁部４０の上面４１は、必ずしも上面４１の全体が完全な平坦面である必要はないが、少なくとも、内容物Ａが残留し易い凹形状が設けられていないことが好ましい。
【００２７】
底壁部４０の外周縁には、係合爪部４２が設けられている。係合爪部４２は、底壁部４０にヒンジ部４２ａを介して一体に連結された揺動片４２ｂと、揺動片４２ｂの一方の面から突出する係合突起４２ｃとを有する。係合爪部４２は、ヒンジ部４２ａを支点に揺動可能に構成されている。係合爪部４２は、係合突起４２ｃが内容物Ａの側面に食い込むことで、内容物Ａの底壁部４０からの脱落を防止する脱落防止部として機能する。
【００２８】
図４に示すように、本例の係合爪部４２は、底壁部４０の周方向に間隔をあけて４箇所に均等配置されているが、これに限定されず、係合爪部４２の数、位置、形状は適宜変更可能である。係合爪部４２が複数設けられている場合には、底壁部４０の周方向に間隔をあけて均等配置されていることが好ましい。
【００２９】
可動筒部５０は、本体部１０の内側で、軸部３０及び底壁部４０を取り囲むように配置され、所定の範囲内で軸部３０に係合して軸部３０と共に移動可能に構成されている。可動筒部５０は、軸部３０及び内筒部２３の径方向外側に配置される円筒状のガイド筒部５１と、ガイド筒部５１の一端側に連なる環状の隔壁部５２と、隔壁部５２の外周縁部から上方（ガイド筒部５１と逆側）に立設する側壁部５３とを有する。ガイド筒部５１の外周面には、縦リブ１５が入り込む縦溝５４が形成されており、縦溝５４の下部には、ストッパー突起５５が設けられている。
【００３０】
本体部１０の縦リブ１５が、可動筒部５０の縦溝５４に入り込むことにより、可動筒部５０の本体部１０に対する回転が抑制される。また、可動筒部５０のストッパー突起５５が本体部１０の下端１６に当接することで、可動筒部５０の上昇が停止される。すなわち、可動筒部５０のストッパー突起５５が本体部１０の下端１６に当接する位置が、可動筒部５０の移動の範囲の上限となる。可動筒部５０の移動の下限は、隔壁部５２の外周縁部の下面が、本体部１０の段差部１４の上面に当接する位置とすることができるが、これに限定されず、例えば軸部３０の下端が閉塞壁２２に当接する位置を可動筒部５０の移動の下限としてもよい。
【００３１】
側壁部５３の内周面には、側壁部５３に対する底壁部４０、軸部３０、及び内容物Ａの回転を抑制するための回転規制部５６が設けられている。本例の回転規制部５６は、軸線Ｃに平行に延在する縦リブ状であるが、形状は適宜変更可能である。本例では、側壁部５３の内周面に、軸線Ｃを挟んで対向する２つの回転規制部５６が設けられている。回転規制部５６は、底壁部４０の外周縁部に設けられた縦溝状の凹部４３に入り込み、可動筒部５０に対する底壁部４０及び軸部３０の回転を抑制している。また、液状の内容物を本体部１０の内側に充填する方法で繰出し容器１に内容物Ａを配置する場合、内容物Ａの側面にも、回転規制部５６に対応する縦溝状の凹部Ａ１が形成される。そして、繰出し容器１の使用時にも当該凹部Ａ１に回転規制部５６が嵌り込んだ状態となるため、可動筒部５０に対する内容物Ａの回転が抑制される。なお、予め固形化した内容物Ａを底壁部４０の上面４１に配置する場合には、内容物Ａの側面に回転規制部５６に対応する縦溝状の凹部Ａ１を予め形成しておく。
【００３２】
環状の隔壁部５２の内周縁部５７（係合部）は、軸部３０の係合凹部３４に係合可能に構成されている。隔壁部５２の内周縁部５７が軸部３０の係合凹部３４に係合することで、可動筒部５０は軸部３０に係合保持される。内周縁部５７は、底壁部４０及び軸部３０が可動筒部５０の移動範囲を超えて繰り出された際に、軸部３０の係合凹部３４に対する係合が解除されるように構成されている。隔壁部５２の内周縁部５７が軸部３０の係合凹部３４に係合した状態で、隔壁部５２は底壁部４０の下面に沿って配置され、側壁部５３は、底壁部４０及び内容物Ａの径方向外側に配置される。
【００３３】
蓋体６０は、円筒状の外周壁６１と、外周壁６１の上端を覆う頂壁６２とを有する。外周壁６１は、本体部１０の外周側に配置される。外周壁６１は、操作部２０の周壁２１の上端部に設けられた小径となる嵌合部２７に嵌合し、着脱可能に係合保持される。
【００３４】
上記のような構成の繰出し容器１を使用する際には、図１に示す状態から蓋体６０を取り外した後、本体部１０に対して操作部２０を一方側に回動させて内容物Ａを繰り出して使用する。具体的に、操作部２０を本体部１０に対して回動させると、操作部２０とともに内筒部２３の雌ねじ部２４が回動する。その際、可動筒部５０は、本体部１０に対する回転を抑制されており、軸部３０は可動筒部５０に対する回転を抑制されているため、内筒部２３の雌ねじ部２４が回動すると、軸部３０の雄ねじ部３２が係合して軸部３０は可動筒部５０とともに軸方向に移動する。なお、操作部２０を繰出し方向とは逆方向に回転させることで、軸部３０及び可動筒部５０を引き戻し方向に移動させることができる。
【００３５】
繰出し方向に操作部２０を回動させると、ストッパー突起５５が本体部１０の下端１６に当接するまでは、軸部３０及び可動筒部５０が共に移動する。ストッパー突起５５が本体部１０の下端１６に当接すると、可動筒部５０はそれ以上の軸方向の移動（上昇）を抑制される。このように可動筒部５０の上昇が抑制された状態で、さらに操作部２０を回動させて軸部３０を繰り出すと、軸部３０の係合凹部３４と可動筒部５０の隔壁部５２の内周縁部５７との係合が解除され、図５に示すように、軸部３０（及び底壁部４０）のみが繰出し方向に移動する。
【００３６】
そして、図６に示すように、底壁部４０の上面４１が側壁部５３の上端及び本体部１０の開口部１１よりも上方に位置するまで軸部３０を繰り出すことで、内容物Ａの全体が露出するため、内容物Ａを最後まで容易に使いきることができる。
【００３７】
そして、図７に示すように、ヒンジ部４２ａを支点に係合爪部４２を外側に開くことで、係合突起４２ｃの内容物Ａへの係合が解除されるため、内容物Ａを容易に取り外すこともできる。これにより、内容物Ａを最後まで使い切ることがさらに容易となる。
【００３８】
なお、例えば図８に示すように、底壁部４０に係合爪部４２等の脱落防止部が設けられていない場合には、内容物Ａが底壁部４０から脱落してしまう虞があるが、本実施形態の繰出し容器１においては、図６に示すように内容物Ａの全体が露出するまで軸部３０を繰り出したとしても、係合爪部４２の働きによって内容物Ａの脱落を防止することができる。
【００３９】
なお、本例において、軸部３０と一体に成形される底壁部４０の成形時には、係合爪部４２が図７に示すように開いた状態となっている。そして、図９に示すように、軸部３０及び底壁部４０を可動筒部５０の内側に挿入してセットする際に、係合爪部４２が可動筒部５０の側壁部５３に当接して、ヒンジ部４２ａを支点に折り曲げられる。したがって、本例の繰出し容器１は組立て作業も容易である。
【００４０】
以上のように、本実施形態の繰出し容器１によれば、内容物Ａの残留量を低減することができるとともに、使用過程での内容物Ａの脱落を抑制することが可能となる。
【００４１】
また、本実施形態の繰出し容器１にあっては、内容物Ａの全体が露出した状態で係合爪部４２を開くことで、内容物Ａを取り外すことができる構成としたことにより、内容物Ａを最後まで容易に使いきることができる。
【００４２】
また、本実施形態の繰出し容器１にあっては、底壁部４０の周方向に間隔をあけて複数箇所に係合爪部４２が設けられているため、使用過程での内容物Ａの脱落をより確実に抑制することができる。内容物Ａの脱落をより確実に抑制するため、複数の係合爪部４２は、本例のように、底壁部４０の周方向に均等配置されていることが好ましい。
【００４３】
以下、本発明の他の実施形態について説明する。なお、上述した実施形態と基本的な機能が同一である部分は、図中、同一の符号を付して説明を省略する。
【００４４】
図１０〜１３は、本発明の他の実施形態としての繰出し容器２を示している。図１０は、内容物Ａを使用する前の初期状態を示し、図１１は、図１０に示す初期状態から内容物Ａを繰出しながら使用したことにより内容物Ａの残量が減少した状態を示す。繰出し容器２は、図１に示す繰出し容器１と同様の蓋体６０を着脱可能に構成されている。繰出し容器２の底壁部４０には、脱落防止部としてのレール部４４が設けられている。図１１に示す繰出し容器２の平面図である図１２にも示すように、本例では、一対のレール部４４が、軸線Ｃを挟んで対向配置されており、一対のレール部４４は、軸線Ｃを挟んで対称形状である。
【００４５】
それぞれのレール部４４は、底壁部４０の上面４１の外周縁部から軸方向に突出する立上がり壁部４４ａと、立上がり壁部４４ａの上部から径方向内側に（軸線Ｃに向けて）突出する係合突起部４４ｂとを有する。レール部４４は、係合突起部４４ｂが内容物Ａの側面に設けた水平凹部Ａ２に食い込むことで内容物Ａの軸方向の移動を抑制する。これにより、内容物Ａの全体が露出するまで軸部３０を繰り出した状態でも、内容物Ａの脱落を防止することができる。
【００４６】
また、図１３に示すように、内容物Ａの全体が露出するまで軸部３０及び底壁部４０を繰り出した状態で、軸方向に対して垂直な所定の方向（係合突起部４４ｂの延在方向：図１３の矢印参照）に内容物Ａをスライドさせることで、内容物Ａを容易に取り外すことができる。なお、本例では、図１３に示す矢印の逆方向に内容物Ａをスライドさせた場合でも、内容物Ａを取り外すことができる。このように、繰出し容器２においても、先の実施形態と同様に内容物Ａを最後まで使い切ることができる。
【００４７】
このように、本実施形態の繰出し容器２によれば、内容物Ａの残留量を低減することができるとともに、使用過程での内容物Ａの脱落を抑制することが可能となる。なお、レール部４４の形状は特に限定されず、軸方向に対して垂直な所定の方向に内容物Ａをスライドさせて内容物Ａを取り外すことができる形状であればよい。
【００４８】
以上、図示例に基づき説明したが、本発明は上述の実施形態に限定されるものでなく、特許請求の範囲の記載範囲内で適宜変更することができるものである。例えば、先の実施形態では、軸部３０側に雄ねじ部３２を設けるとともに、操作部２０側に雌ねじ部２４を設けているが、雄ねじ部と雌ねじ部の関係を逆にしてもよい。つまり、軸部３０の軸本体３１を筒状として、その内周面に雌ねじ部を設けるとともに、内筒部２３を軸状にして外周面に雄ねじ部を設けてもよい。
【００４９】
また、本体部１０に対する可動筒部５０の回転を抑制するための構成は図示例の縦リブ１５に限定されず、その形状、数、位置等は適宜変更可能である。例えば、縦リブ１５は本体部１０の内周面から径方向内側に向けて突出する凸部であるが、径方向外側に向けて凹となる凹形状としてもよく、その場合、当該凹形状に対応して、可動筒部５０のガイド筒部５１に凸形状を設ける。
【符号の説明】
【００５０】
１：繰出し容器
２：繰出し容器
１０：本体部
１１：開口部
１２：小径部
１３：被係合凸部
１４：段差部
１５：縦リブ
１６：下端
２０：操作部
２１：周壁
２２：閉塞壁
２３：内筒部
２４：雌ねじ部（被螺合部）
２５：フランジ部
２６：係合凹部
２７：嵌合凹部
３０：軸部
３１：軸本体
３２：雄ねじ部
３３：大径部
３４：係合凹部
３５：ストレート凹部
３６：抜け止め凸部
４０：底壁部
４１：上面（支持面）
４２：係合爪部（脱落防止部）
４２ａ：ヒンジ部
４２ｂ：揺動片
４２ｃ：係合突起
４３：凹部
４４：レール部（脱落防止部）
４４ａ：立上がり壁部
４４ｂ：係合突起部
５０：可動筒部
５１：ガイド筒部
５２：隔壁部
５３：側壁部
５４：縦溝
５５：ストッパー突起
５６：回転規制部
５７：隔壁部の内周縁部（係合部）
６０：蓋体
６１：外周壁
６２：頂壁
Ａ：内容物
Ｃ：中心軸
【図１】
2020055552.tif 000003
【図２】
2020055552.tif 000004
【図３】
2020055552.tif 000005
【図４】
2020055552.tif 000006
【図５】
2020055552.tif 000007
【図６】
2020055552.tif 000008
【図７】
2020055552.tif 000009
【図８】
2020055552.tif 000010
【図９】
2020055552.tif 000011
【図１０】
2020055552.tif 000012
【図１１】
2020055552.tif 000013
【図１２】
2020055552.tif 000014
【図１３】
2020055552.tif 000015